(57)【要約】【課題】簡単な構成で、効率よく製品製造工程管理を行える管理システムを提供する。【解決手段】管理票１０を作成する管理システムにおいて、管理装置１００と、印刷装置１５０と、を備え、管理装置１００は、製品ロット毎に複数の工程を含む製造工程の工程フローを記憶する工程記憶部１０６と、複数の所定の工程を、所定の条件に従って、管理票出力時期として抽出する抽出部１０８と、抽出された管理票出力時期のそれぞれの間に含まれる複数の工程を一単位とした部分工程フローを示し、作業履歴を記録する管理票１０を管理票出力時期ごとに印字出力するための印刷データを所定の書式で作成する作成部１１０と、管理票１０の印字出力指示を受け付ける指示受付部１１６と、印字出力指示を受け付けたとき、印刷データに基づいて、管理票出力時期に対応する部分工程フローの管理票１０を印刷装置１５０に印字出力させる出力部１１８と、を備える。【選択図】図１
2009271663.tif 000002
【特許請求の範囲】
【請求項１】
複数の工程を含む製品製造工程のフローを作業者に提示することで前記作業者が工程手順を確認するとともに、前記複数の工程ごとの作業履歴を前記作業者が記録するための管理票を作成する管理システムにおいて、
管理装置と、前記管理装置にネットワークを介して接続された管理票出力装置と、を備え、
前記管理装置は、
製品ロット毎に前記複数の工程を含む前記製品製造工程の工程フローを記憶する記憶手段と、
前記記憶手段に記憶された前記工程フローに含まれる前記複数の工程の中から複数の所定の工程を、所定の条件に従って、それぞれ管理票出力時期として抽出する抽出手段と、
抽出された前記管理票出力時期のそれぞれの間に含まれる複数の工程を一単位とした部分工程フローを前記作業者に示すとともに、該部分工程フローに含まれる複数の工程ごとの作業履歴を前記作業者が記録するための管理票を前記管理票出力時期ごとにそれぞれ印字出力するための印刷データを所定の書式でそれぞれ作成する作成手段と、
前記複数の管理票出力時期に対応する前記所定の工程の前に、対応する前記管理票の印字出力指示を受け付ける指示受付手段と、
前記印字出力指示を受け付けたとき、前記作成手段で作成された前記管理票の前記印刷データに基づいて、前記複数の管理票出力時期に対応する前記部分工程フローの前記管理票を前記管理票出力装置に印字出力させる出力手段と、を備える管理システム。
【請求項２】
請求項１に記載の管理システムにおいて、
前記管理装置の前記抽出手段は、前記製品製造工程のうち、工程開始時および複数回繰返し行われる工程を前記管理票出力時期とする管理システム。
【請求項３】
請求項１または２に記載の管理システムにおいて、
前記管理装置は、
前記製品ロットの製造条件の設定を受け付ける手段を備え、
前記管理装置の前記作成手段は、前記管理票にさらに前記製造条件を付記した書式で前記印刷データを作成する管理システム。
【請求項４】
請求項１乃至３いずれかに記載の管理システムにおいて、
前記管理装置の前記作成手段は、前記管理票出力装置に前記管理票を印字出力させる印字出力指示情報を含むバーコードを付記した書式で前記印刷データを作成し、
前記管理装置は、前記管理票に記録された前記バーコードの前記印字出力指示情報を読み取る読取装置をさらに備え、
前記管理装置の前記指示受付手段が、前記読取装置で読み取られた前記バーコードの前記印字出力指示情報を、前記ネットワークを介して受信し、前記印字出力指示として受け付ける管理システム。
【請求項５】
請求項１乃至４いずれかに記載の管理システムにおいて、
前記作業者により前記作業履歴が記録された前記管理票を光学式読み取り装置によりデジタルデータとして読み取る読取手段と、
前記読取手段により読み取られた前記作業履歴の前記デジタルデータを記憶する記憶手段と、を備える管理システム。
【請求項６】
請求項１乃至５いずれかに記載の管理システムにおいて、
前記製品製造工程によって製造される製品は、半導体装置であり、前記管理装置の前記抽出手段は、前記管理票出力時期として、前記半導体装置の前記製品製造工程における投入工程およびレジスト塗布工程を含む管理システム。
【請求項７】
管理票出力装置にネットワークを介して接続され、複数の工程を含む製品製造工程のフローを作業者に提示することで前記作業者が工程手順を確認するとともに、前記複数の工程ごとの作業履歴を前記作業者が記録するための管理票を前記管理票出力装置に出力させる管理装置であって、
製品ロット毎に前記複数の工程を含む前記製品製造工程の工程フローを記憶する記憶手段と、
前記記憶手段に記憶された前記工程フローに含まれる前記複数の工程の中から複数の所定の工程を、所定の条件に従って、それぞれ管理票出力時期として抽出する抽出手段と、
抽出された前記管理票出力時期のそれぞれの間に含まれる複数の工程を一単位とした部分工程フローを前記作業者に示すとともに、該部分工程フローに含まれる複数の工程ごとの作業履歴を前記作業者が記録するための管理票を前記管理票出力時期ごとにそれぞれ印字出力するための印刷データを所定の書式でそれぞれ作成する作成手段と、
前記複数の管理票出力時期に対応する前記所定の工程の前に、対応する前記管理票の印字出力指示を受け付ける指示受付手段と、
前記印字出力指示を受け付けたとき、前記作成手段で作成された前記管理票の前記印刷データに基づいて、前記複数の管理票出力時期に対応する前記部分工程フローの前記管理票を前記管理票出力装置に印字出力させる出力手段と、を備える管理装置。
【請求項８】
製品ロット毎に複数の工程を含む製品製造工程の工程フローを記憶する記憶装置を有する管理装置と、前記管理装置にネットワークを介して接続された管理票出力装置と、を備えた管理システムにおいて、前記製品製造工程の前記工程フローを作業者に提示することで前記作業者が工程手順を確認するとともに、前記複数の工程ごとの作業履歴を前記作業者が記録するための管理票を作成する管理方法であって、
前記管理装置が、
前記記憶装置に記憶された前記工程フローに含まれる前記複数の工程の中から複数の所定の工程を、所定の条件に従って、それぞれ管理票出力時期として抽出し、
抽出された前記管理票出力時期のそれぞれの間に含まれる複数の工程を一単位とした部分工程フローを前記作業者に示すとともに、該部分工程フローに含まれる複数の工程ごとの作業履歴を前記作業者が記録するための管理票を前記管理票出力時期ごとにそれぞれ印字出力するための印刷データを所定の書式でそれぞれ作成し、
前記複数の管理票出力時期に対応する前記所定の工程の前に、対応する前記管理票の印字出力指示を受け付け、
前記印字出力指示を受け付けたとき、前記作成された前記管理票の前記印刷データに基づいて、前記複数の管理票出力時期に対応する前記部分工程フローの前記管理票を前記管理票出力装置に印字出力させる管理方法。
【請求項９】
製品ロット毎に複数の工程を含む製品製造工程の工程フローを記憶する記憶装置を有し、ネットワークを介して管理票を印字出力する管理票出力装置に接続された管理装置を実現させるためのコンピュータプログラムであって、コンピュータを、
前記記憶装置に記憶された前記工程フローに含まれる前記複数の工程の中から複数の所定の工程を、所定の条件に従って、それぞれ管理票出力時期として抽出する抽出手段と、
抽出された前記管理票出力時期のそれぞれの間に含まれる複数の工程を一単位とした部分工程フローを作業者に示すとともに、該部分工程フローに含まれる複数の工程ごとの作業履歴を前記作業者が記録するための管理票を前記管理票出力時期ごとにそれぞれ印字出力するための印刷データを所定の書式でそれぞれ作成する作成手段と、
前記複数の管理票出力時期に対応する前記所定の工程の前に、対応する前記管理票の印字出力指示を受け付ける指示受付手段と、
前記印字出力指示を受け付けたとき、前記作成手段で作成された前記管理票の前記印刷データに基づいて、前記複数の管理票出力時期に対応する前記部分工程フローの前記管理票を前記管理票出力装置に印字出力させる出力手段と、として機能させるための管理プログラム。
【発明の詳細な説明】
【技術分野】
【０００１】
本発明は、製品製造工程管理システムに関し、特に、工程を管理する管理票を作成する管理システム、管理装置、管理方法、および管理プログラムに関する。
【背景技術】
【０００２】
製品製造工程管理装置の例が特許文献１乃至５に記載されている。各特許文献に記載された工程管理装置は、製造工程情報を格納するデータベースと、製造工程情報を管理するホストコンピュータと、工程毎に現場に設けられた複数の端末装置と、を備え、ホストコンピュータが現場の端末装置からの報告を受け付けて、製品の製造工程を管理する。
【０００３】
また、特許文献６に記載の管理帳票は、製品製造工程の全工程を一枚の管理票に記録するようになっており、予め印刷業者に発注し、印刷、製本し、納品されたものを保管して、製品ロット投入時に、ストックしてある管理票の中から製品にあった管理票を選び出し、ロットに添付して使用するものである。
【特許文献１】特開２００１−３０６１２４号公報
【特許文献２】特開２００１−３４４００５号公報
【特許文献３】特開２００３−３３０５２７号公報
【特許文献４】特開平１−１８１１０３号公報
【特許文献５】特開平４−２８７２７５号公報
【特許文献６】特開平９−３１５０３８号公報
【発明の開示】
【発明が解決しようとする課題】
【０００４】
しかしながら、上記文献記載の従来技術は、以下の点で改善の余地を有していた。
従来の管理票のように、一枚の管理票で、すべての工程を管理しようとすると、例えば、半導体装置の製造工程では、改善などのために、たとえ数百の工程のほんの一部の変更を行う場合であっても、管理票を作成し直す必要があり、既に在庫として抱えている管理票を全て破棄せざる得なく、管理票の作成費用が無駄になり、資源の無駄遣いにもなってしまっていた。また、管理票の印刷を外注しているような場合、納品までに、１、２週間かかっていたため、タイムラグが生じ、工程変更に多数の工数を必要とした。また、管理票の在庫を保管する保管場所の確保や在庫管理が必要であり、さらに保管中にパーティクルが付着してしまい、使用できなくなってしまい無駄になってしまう場合があった。
【課題を解決するための手段】
【０００５】
本発明の管理システムは、
複数の工程を含む製品製造工程のフローを作業者に提示することで前記作業者が工程手順を確認するとともに、前記複数の工程ごとの作業履歴を前記作業者が記録するための管理票を作成する管理システムにおいて、
管理装置と、前記管理装置にネットワークを介して接続された管理票出力装置と、を備え、
前記管理装置は、
製品ロット毎に前記複数の工程を含む前記製品製造工程の工程フローを記憶する記憶手段と、
前記記憶手段に記憶された前記工程フローに含まれる前記複数の工程の中から複数の所定の工程を、所定の条件に従って、それぞれ管理票出力時期として抽出する抽出手段と、
抽出された前記管理票出力時期のそれぞれの間に含まれる複数の工程を一単位とした部分工程フローを前記作業者に示すとともに、該部分工程フローに含まれる複数の工程ごとの作業履歴を前記作業者が記録するための管理票を前記管理票出力時期ごとにそれぞれ印字出力するための印刷データを所定の書式でそれぞれ作成する作成手段と、
前記複数の管理票出力時期に対応する前記所定の工程の前に、対応する前記管理票の印字出力指示を受け付ける指示受付手段と、
前記印字出力指示を受け付けたとき、前記作成手段で作成された前記管理票の前記印刷データに基づいて、前記複数の管理票出力時期に対応する前記部分工程フローの前記管理票を前記管理票出力装置に印字出力させる出力手段と、を備える。
【０００６】
この発明によれば、従来、外注にて印刷された一枚の大きな用紙にて管理されていた管理票を、複数に分割して所定の工程前に印字出力することができるので、製造工程フローの変更があっても管理票全体を作成し直す必要がなく、該当箇所に対応する管理票のみ作成し直せばよいので、変更にも柔軟にかつ迅速に対応することができ、コストも大幅に削減される。また、従来、外注にて印刷された管理票は、在庫を保管する必要があったが、本発明によれば、在庫を持つ必要がなくなり、管理票の保管場所が不要となり、管理票を印刷するための一般的なＡ４版サイズのコピー用紙などのみを保管すればよい。管理票保管中のパーティクル付着などの問題も解決される。また、管理票を外注に印刷製本依頼する工数が不要となる。変更により不要となる管理票が発生しないので、資源を無駄にしない。このように、本発明によれば、簡単な構成で、製品製造工程管理を、管理票を用いて効率よく行える。
【０００７】
本発明の管理装置は、
管理票出力装置にネットワークを介して接続され、複数の工程を含む製品製造工程のフローを作業者に提示することで前記作業者が工程手順を確認するとともに、前記複数の工程ごとの作業履歴を前記作業者が記録するための管理票を前記管理票出力装置に出力させる管理装置であって、
製品ロット毎に前記複数の工程を含む前記製品製造工程の工程フローを記憶する記憶手段と、
前記記憶手段に記憶された前記工程フローに含まれる前記複数の工程の中から複数の所定の工程を、所定の条件に従って、それぞれ管理票出力時期として抽出する抽出手段と、
抽出された前記管理票出力時期のそれぞれの間に含まれる複数の工程を一単位とした部分工程フローを前記作業者に示すとともに、該部分工程フローに含まれる複数の工程ごとの作業履歴を前記作業者が記録するための管理票を前記管理票出力時期ごとにそれぞれ印字出力するための印刷データを所定の書式でそれぞれ作成する作成手段と、
前記複数の管理票出力時期に対応する前記所定の工程の前に、対応する前記管理票の印字出力指示を受け付ける指示受付手段と、
前記印字出力指示を受け付けたとき、前記作成手段で作成された前記管理票の前記印刷データに基づいて、前記複数の管理票出力時期に対応する前記部分工程フローの前記管理票を前記管理票出力装置に印字出力させる出力手段と、を備える。
【０００８】
本発明の管理方法は、
製品ロット毎に複数の工程を含む製品製造工程の工程フローを記憶する記憶装置を有する管理装置と、前記管理装置にネットワークを介して接続された管理票出力装置と、を備えた管理システムにおいて、前記製品製造工程の前記工程フローを作業者に提示することで前記作業者が工程手順を確認するとともに、前記複数の工程ごとの作業履歴を前記作業者が記録するための管理票を作成する管理方法であって、
前記管理装置が、
前記記憶装置に記憶された前記工程フローに含まれる前記複数の工程の中から複数の所定の工程を、所定の条件に従って、それぞれ管理票出力時期として抽出し、
抽出された前記管理票出力時期のそれぞれの間に含まれる複数の工程を一単位とした部分工程フローを前記作業者に示すとともに、該部分工程フローに含まれる複数の工程ごとの作業履歴を前記作業者が記録するための管理票を前記管理票出力時期ごとにそれぞれ印字出力するための印刷データを所定の書式でそれぞれ作成し、
前記複数の管理票出力時期に対応する前記所定の工程の前に、対応する前記管理票の印字出力指示を受け付け、
前記印字出力指示を受け付けたとき、前記作成された前記管理票の前記印刷データに基づいて、前記複数の管理票出力時期に対応する前記部分工程フローの前記管理票を前記管理票出力装置に印字出力させる。
【０００９】
本発明の管理プログラムは、
製品ロット毎に複数の工程を含む製品製造工程の工程フローを記憶する記憶装置を有し、ネットワークを介して管理票を印字出力する管理票出力装置に接続された管理装置を実現させるためのコンピュータプログラムであって、コンピュータを、
前記記憶装置に記憶された前記工程フローに含まれる前記複数の工程の中から複数の所定の工程を、所定の条件に従って、それぞれ管理票出力時期として抽出する抽出手段と、
抽出された前記管理票出力時期のそれぞれの間に含まれる複数の工程を一単位とした部分工程フローを作業者に示すとともに、該部分工程フローに含まれる複数の工程ごとの作業履歴を前記作業者が記録するための管理票を前記管理票出力時期ごとにそれぞれ印字出力するための印刷データを所定の書式でそれぞれ作成する作成手段と、
前記複数の管理票出力時期に対応する前記所定の工程の前に、対応する前記管理票の印字出力指示を受け付ける指示受付手段と、
前記印字出力指示を受け付けたとき、前記作成手段で作成された前記管理票の前記印刷データに基づいて、前記複数の管理票出力時期に対応する前記部分工程フローの前記管理票を前記管理票出力装置に印字出力させる出力手段と、として機能させるためのものである。
【００１０】
なお、以上の構成要素の任意の組合せ、本発明の表現を方法、装置、システム、記録媒体、コンピュータプログラムなどの間で変換したものもまた、本発明の態様として有効である。
【００１１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１２】
また、本発明の管理方法およびコンピュータプログラムには複数の手順を順番に記載してあるが、その記載の順番は複数の手順を実行する順番を限定するものではない。このため、本発明の管理方法およびコンピュータプログラムを実施するときには、その複数の手順の順番は内容的に支障しない範囲で変更することができる。
【００１３】
さらに、本発明の管理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１４】
本発明によれば、簡単な構成で、効率よく製品製造工程管理を行える管理システム、管理装置、管理方法、および管理プログラムが提供される。
【発明を実施するための最良の形態】
【００１５】
以下、本発明の実施の形態について、図面を用いて説明する。尚、すべての図面において、同様な構成要素には同様の符号を付し、適宜説明を省略する。
【００１６】
図１は、本発明の実施の形態に係る管理システムの構成を示す機能ブロック図である。本実施形態の管理システムは、複数の工程を含む製品製造工程のフローを作業者５に提示することで作業者５が工程手順を確認するとともに、複数の工程ごとの作業履歴を作業者５が記録するための管理票１０を作成する管理システムにおいて、管理装置１００と、管理装置１００にネットワーク３を介して接続された管理票出力装置（印刷装置１５０）と、を備え、管理装置１００は、製品ロット毎に複数の工程を含む製品製造工程の工程フローを記憶する記憶部（工程記憶部１０６）と、記憶部（工程記憶部１０６）に記憶された工程フローに含まれる複数の工程の中から複数の所定の工程を、所定の条件に従って、それぞれ管理票出力時期として抽出する抽出部１０８と、抽出された管理票出力時期のそれぞれの間に含まれる複数の工程を一単位とした部分工程フローを作業者５に示すとともに、該部分工程フローに含まれる複数の工程ごとの作業履歴を作業者５が記録するための管理票１０を管理票出力時期ごとにそれぞれ印字出力するための印刷データを所定の書式でそれぞれ作成する作成部１１０と、複数の管理票出力時期に対応する所定の工程の前に、対応する管理票１０の印字出力指示を受け付ける指示受付部１１６と、印字出力指示を受け付けたとき、作成部１１０で作成された管理票１０の印刷データに基づいて、複数の管理票出力時期に対応する部分工程フローの管理票１０を管理票出力装置（印刷装置１５０）に印字出力させる出力手段と、を備える。
【００１７】
本発明の管理装置１００は、現場の作業者に製品製造工程の作業手順を指示するとともに、作業履歴を記録させる管理票１０を、所定の工程ごとに工程表を分割して、分割された一部の工程が記載された工程表を含むように構成する。この分割された一部の工程が記載された工程表を含む管理票１０を所定の工程の前ごとに、印刷装置１５０により印字出力させる。本実施形態では、半導体装置（不図示）の製造工程管理用の管理票を出力する場合を例として説明する。
【００１８】
具体的には、本実施形態の管理システムは、管理装置１００と、管理装置１００にネットワーク３を介して接続された印刷装置１５０と、バーコード読取装置１６０と、を備える。
【００１９】
管理装置１００は、たとえば、パーソナルコンピュータ、ワークステーションなどである。
印刷装置１５０は、ネットワーク３に接続され、たとえば、現場の製品（半導体装置）製造ライン近傍に設けられ、作業者５に作業指示を行うための工程手順が記載されている管理票１０を管理装置１００からの指示に従って印字出力する。例として、汎用のネットワークプリンタとすることができ、所定サイズの用紙、たとえば、オフィスで一般的なＡ４サイズのコピー用紙など、連続帳票でない単票の用紙に印字可能なページプリンタやシリアルプリンタ等が好ましい。
【００２０】
印刷装置１５０により印刷された管理票１０は、製品半導体装置１に添付される。管理票１０には、工程表１２と、バーコード１４と、が含まれる。作業者５は、半導体装置１に添付された管理票１０を見て、工程表１２に記載された工程の作業手順を確認し、作業を行う。
【００２１】
なお、本発明の管理票１０は、作業者５によって各製造工程にて作業履歴が記録された後、回収され、管理票１０に記録された作業履歴などの情報はスキャナ（不図示）にて読み取りが行われる。作業履歴には、たとえば、各工程の進捗状況が分かるように、工程ごとに、作業開始時刻、終了時刻、作業者名、コメント、完了チェックなどが記録できるようにすることができる。
【００２２】
このとき、スキャナにおいて、オートシートフィーダなどで連続して複数の用紙を一度に読み取れることが、管理票１０の情報を収集する際に作業の手間およびコスト削減の点からも重要である。すなわち管理票１０は同じサイズの用紙を使用し、所定の書式で作成されることが望ましい。従来の管理票のように、大きな１枚の管理票を折り曲げて使用するのではなく、本発明の管理票１０によれば、所定サイズたとえば、Ａ４版の、通常のコピー用紙に統一し、所定の書式に統一することで、管理票１０の情報収集時の効率化を図ることができる。
【００２３】
また、本実施形態では、印刷装置１５０はネットワーク３に直接接続される構成としたが、これに限定されない。ネットワーク３に接続された現場などに設置された他のユーザ端末（不図示）に接続され、ユーザ端末を介して、管理装置１００からの印刷指示に従って管理票１０を印字出力してもよい。あるいは、管理装置１００から予め他のユーザ端末に管理票１０の印刷データを送信しユーザ端末の記憶部に記憶させる、あるいは、管理票書式記憶部１１２をユーザ端末内に持たせることで、後述するバーコード読取装置１６０から送信される管理票１０の印字出力指示をユーザ端末が受信し、ユーザ端末から印刷装置１５０に印刷指示を行うようにすることもできる。
【００２４】
なお、印刷装置１５０の設置場所はこれに限定されるものではなく、たとえば、作業者が作業前後に立ち寄る部屋や、出入口付近、作業者に指示を行う管理者の部屋など、所定の場所とすることができる。
【００２５】
バーコード読取装置１６０は、ネットワーク３に接続され、本実施形態の管理票１０に記載されているバーコード１４を読み取り、バーコード１４から読み取った印字出力指示を管理装置１００にネットワーク３を介して送信する。あるいは、バーコード読取装置１６０による管理票１０のバーコード１４の読み取りに替えて、上述したような他のユーザ端末に印字出力指示を受け付ける画面を表示させ、現場の作業者５がユーザ端末を操作して印字出力指示を行う構成としてもよい。この場合、管理装置１００に印字出力指示を送信する構成でもよいし、あるいは、ユーザ端末が管理票１０の印刷データを有している構成であれば、そのままユーザ端末から印刷装置１５０に管理票１０の印刷指示を行ってもよい。
【００２６】
すなわち、後述する本実施形態の管理装置１００の管理票書式記憶部１１２、インタフェース部１１４、指示受付部１１６、および出力部１１８は、他のユーザ端末に設けることができる。
【００２７】
また、本実施形態では、バーコード読取装置１６０はネットワーク３に直接接続される構成としたが、これに限定されない。ネットワーク３に有線または無線通信にて接続された現場などの設置された他のユーザ端末（不図示）に接続され、ユーザ端末を介して、バーコード読取装置１６０にて読み取った印刷出力指示を送信する構成としてもよい。また、ユーザ端末の表示部（不図示）に確認画面などを表示させた後、ユーザ端末の操作部（不図示）によるユーザの操作指示を待って印刷出力指示を送信する構成とすることもできる。
【００２８】
管理装置１００は、操作部１０２と、工程受付部１０４と、工程記憶部１０６と、抽出部１０８と、作成部１１０と、管理票書式記憶部１１２と、インタフェース部（Ｉ／Ｆ）１１４と、指示受付部１１６と、出力部１１８と、を備えている。
【００２９】
なお、以下の各図において、本発明の本質に関わらない部分の構成については省略してある。
また、管理システムの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００３０】
操作部１０２は、管理装置１００のユーザの操作を受け付ける。操作部１０２は、たとえば、キーボード、マウス、タブレット、タッチパネル、ジョイスティックなどである。ユーザは、図示されない表示部に表示された各種画面を参照して、操作部１０２の操作を行うことで、管理装置１００に対して各種設定や入力等の指示を行うことができる。
【００３１】
また、操作部１０２は、管理装置１００とは別に設けられた、ユーザ端末、たとえば、パーソナルコンピュータや携帯電話などの無線携帯端末を用いてもよい。ユーザが管理装置１００を操作するためのユーザインタフェースの機能を有し、管理装置１００に入力されたデータを送信する手段を備えたものであればよい。または、ウェブサーバ（不図示）に準備されたウェブページにユーザ端末からウェブブラウザを用いてアクセスし、必要な設定や入力操作を行う構成とすることもできる。
【００３２】
工程受付部１０４は、図示されない表示部に表示された設定画面において、ユーザが操作部１０２を用いて操作設定した、製品ロット毎に複数の工程を含む製造工程の工程フローの設定を受け付ける。さらに、工程受付部１０４は、製品ロットの製造条件の設定を受け付けてもよい。製造条件は、ロット単位でも、工程単位でも受け付けることができる。
【００３３】
工程記憶部１０６は、工程受付部１０４が受け付けた各種設定および情報を記憶するデータベースである。本実施形態において、工程記憶部１０６は、管理装置１００に含まれる構成としたが、これに限定されない。管理装置１００とは別途設けられてもよい。既存の製品製造工程管理用のデータベースを用いてもよい。
【００３４】
図２（ａ）に示されるように、工程記憶部１０６は、製品ＩＤ（IDentifier）、製品ロットＩＤ、工程ＩＤ、および条件ＩＤを関連付けて記憶する。図では、各製品ＩＤに対して、一つの製品ロットＩＤが関連付けられているが、実際は各製品ＩＤに複数の製品ロットＩＤが関連付けられている。さらに各製品ロットＩＤにも、複数の工程ＩＤがその製造工程順に関連付けられており、複数の工程ＩＤに対して、それぞれ必要な条件ＩＤが関連付けられてもいいし、製品ロットＩＤに対して条件ＩＤが関連付けられてもよい。条件ＩＤは、特に条件の設定の必要がなければ、不要であるし、一工程に対して複数の条件がある場合は、一工程ＩＤに対して複数の条件ＩＤが関連付けられる。
【００３５】
また、工程記憶部１０６には、各ＩＤに予め関連付けられた各情報も、それぞれ記憶されている。すなわち、製品ＩＤに関連付けられた製品名や製品番号等の製品情報、製品ロットＩＤに関連付けられたロット番号、製造日時、管理番号等の製品ロット情報、工程ＩＤに関連付けられた工程フローの情報、すなわち、フロー中の複数の工程の処理手順、工程名、設備、作業内容等の工程情報、条件ＩＤに関連付けられた製造条件、たとえば、温度、処理時間等の条件情報を記憶する。
【００３６】
図１に戻り、抽出部１０８は、工程フローに含まれる複数の工程の中から複数の所定の工程を、所定の条件に従って、それぞれ管理票出力時期として抽出する。なお、本発明において、管理装置１００の操作部１０２、工程受付部１０４、および工程記憶部１０６は、既存の製品工程管理システムの構成を利用することができる。すなわち、抽出部１０８は、既に構築されているデータベースなどの情報から、所定の条件に従って、複数の所定の工程を管理票出力時期として抽出することができる。
【００３７】
本実施形態において、説明を簡略化するために、図３に示されるような製品製造工程フローを例として、製品が製造されるものとして説明する。はじめに、工程Ａが実施された後、工程Ｂ１が実施され、その後、工程Ｃ、工程Ｄ、工程Ｅ１等の順に実施されるものとする。その後、工程Ａに戻り、次に、工程Ｂ２、Ｃ、Ｄ、Ｅ１（またはＥ２）などの順に実施され、さらにその後、工程Ａに戻り、その後、工程Ｂ３、Ｃ、Ｄ、Ｅ１（またはＥ２）などの順にフローを繰り返して実施されるものとする。
【００３８】
本実施形態において、半導体装置の製造工程を例とすると、ウェハを投入した後、たとえば、図３の工程Ａに対応する清浄工程の後、工程Ｂ１に対応する酸化、拡散工程の後、工程Ｃに対応するレジスト塗布工程に続き、工程Ｄに対応する目合、露光、現像、エッチング、レジスト除去工程等を実施した後、工程Ａに戻り、さらに工程Ｂ２に対応するＣＶＤ（Chemical Vapor Deposition）膜形成工程の後、工程Ｃ、Ｄ、に対応する処理を順に行い、さらに工程Ａに戻った後、工程Ｂ３に対応する導電膜形成工程と続く。
【００３９】
このような製造工程の場合、たとえば、初期、および複数回繰り返し行われる工程Ｃ、たとえば、半導体装置の投入工程およびフロー中、複数回繰り返し行われるレジスト塗布工程を管理票出力時期とすると、管理票を印字出力する印刷装置１５０の設置箇所を必要最小限にすることができるので好ましい。たとえば、本実施形態では、投入工程およびレジスト塗布工程の現場近辺の２箇所に設置することできる。
【００４０】
このように、繰り返し複数回実施される工程（工程Ｃ）を管理票出力時期とし、製品製造工程を複数のグループに分割して、一部の工程のみを含むグループごとの工程表１２が記載された管理票を工程Ｃの前ごとに印刷装置１５０に印字出力させる。そして、新たに出力された管理票を作業済みの工程用の古い管理票に替えて製品に添付することがきる。
【００４１】
たとえば、工程Ｃに対応するレジスト塗布工程を管理票出力時期とした場合、ちょうど工程表１２に記載された一部の工程は、工程Ｃの前で終了するようになっており、工程Ｃの前まで作業が終了した製品ロットを、レジスト塗布前仕掛かり棚などに置き、待機させる。次の工程Ｃの前に、製品ロットに添付されている古い管理票に替えて、次の工程Ｃから始まっている一部の工程を含む工程表１２が記載された新しい管理票をレジスト塗布工程の作業現場（レジスト塗布前仕掛かり棚）付近に設置された印刷装置１５０から印字出力させ、レジスト塗布前仕掛かり棚に載置されている製品ロットにこの新しい管理票を貼りかえる作業を効率よく行うことが可能となる。
【００４２】
たとえば、半導体装置の製造工程は、全工程で数百（約４５０）工程あり、そのうち、レジスト塗布工程は、十数回以上存在し、繰り返し行われる。この複数回繰り返し実施されるレジスト塗布工程を管理票出力時期として設定することで、全工程を複数のグループに分割することができ、各グループの工程フロー毎に、管理票１０を所定の用紙サイズ、たとえばＡ４版サイズの用紙１〜２枚程度に納めて作成することができる。
【００４３】
図１に戻り、このように、抽出部１０８は、所定の条件、たとえば、工程開始時および複数回繰り返し行われる工程を管理票出力時期として抽出する。所定の条件は、予め図示されないメモリに設定されてもよいし、管理装置１００の表示部に設定画面を表示させてユーザが設定できるようにしてもよい。また、特に、繰り返し行われる工程が存在しないような製造工程ラインの場合は、所定数の工程ごとに区切って管理票を印字出力するようにしてもよい。この場合、管理票を印字出力するための印刷装置１５０およびバーコード読取装置１６０の設置場所が、管理票を受け取る作業者にとって効率よくなるように、設置場所や管理票出力時期を設定するのが望ましい。
【００４４】
作成部１１０は、抽出部１０８が抽出した管理票出力時期のそれぞれの間に含まれる複数の工程を一単位とした部分工程フローを担当作業者に示すとともに、該部分工程フローに含まれる複数の工程ごとの作業履歴を担当作業者が記録するための管理票１０を管理票出力時期ごとにそれぞれ印字出力するための印刷データを所定の書式でそれぞれ作成する。印刷データは、特に限定されないが、一般的な文書データ、テキストデータ、およびＨＴＭＬ（HyperText Markup Language）データとすることができる。
【００４５】
作成部１１０は、製品工程の入力受け付けが終了して工程フローが確定した後、任意のタイミングで管理票１０の印刷データを作成することができる。工程フロー確定後、自動的に管理票１０の印刷データを作成してもよいし、ユーザの指示により作成してもよいし、あるいは、後述する指示受付部１１６が印字出力指示を受け付けた時に、指示された管理票１０に対応する印刷データのみを作成してもよい。
【００４６】
本実施形態において、上述した工程受付部１０４は、既に工程記憶部１０６に記憶されている製品工程フローに関する各種設定や情報の変更を受け付けることができる。工程受付部１０４は、変更を受け付けて工程記憶部１０６に格納されている情報を更新する。このように工程フローに関連する情報が更新された場合、更新に呼応して、抽出部１０８および作成部１１０は必要に応じて、再度、工程の抽出および管理票１０の印刷データの作成をそれぞれ行うようにすることができる。
【００４７】
具体的には、管理装置１００は、更新制御部（不図示）を備え、更新制御部が、工程受付部１０４により更新が受け付けられたこと、あるいは、工程記憶部１０６の情報の更新を監視する。そして、更新制御部は、製造工程の情報が更新されたことを検知すると、更新された工程が更新前の工程フローにおいて、管理票出力時期に該当するか否かを判別し、管理票出力時期に該当する場合、抽出部１０８に更新された工程を含む一部の工程以降の工程について、管理票出力時期の再抽出を実行させる。さらに、更新制御部は、更新された工程を含む工程表１２が記載された管理票の印刷データを作成部１１０に再度作成させる。
【００４８】
管理票書式記憶部１１２は、作成部１１０が作成した印刷データを記憶する。図２（ｂ）に示すように、製品ロットＩＤ、管理票ＩＤ、工程ＩＤ、および出力先ＩＤが関連付けて記憶される。各製品ロットＩＤには、管理票出力時期の順番に、出力される複数の管理票１０のＩＤが関連付けられ、その管理票出力時期として抽出された複数の工程の工程ＩＤが関連付けられて記憶される。また、各管理票１０が出力される印刷装置１５０を関連付け、すなわち、管理票ＩＤに出力先ＩＤを関連付けて記憶する。また、管理票書式記憶部１１２は、各ＩＤに、関連付けられた各情報も、それぞれ記憶する。すなわち、管理票ＩＤに関連付けられた管理票１０の所定の書式および印刷データ、出力先ＩＤに関連付けられた出力装置識別情報や用紙設定などを記憶する。
【００４９】
本実施形態において、管理票１０は、製品名、管理票ＩＤ、および製品ロットＩＤ等の情報（不図示）と、工程表１２と、バーコード１４と、を含む。さらに、製造条件（不図示）を含んでもよい。工程表１２には、たとえば、複数の工程、その作業内容が記載され、各作業の履歴、たとえば、作業開始時刻、作業終了時刻、終了チェック、作業者名、コメントなどを記録する欄を含むことができる。なお、製造条件は、ロット単位でも、工程単位でも受け付けることができる。
【００５０】
また、バーコード１４は、次の管理票を印字出力させるための印字出力指示をネットワーク３を介して管理装置１００に行うための情報を含む。たとえば、管理票１０で管理される製品ＩＤ、製品ロットＩＤ、および管理票ＩＤを含む。図１のようなバーコード１４の他に、ＱＲコードなどのような二次元バーコードとすることもでき、特にバーコードの種類は限定されない。
【００５１】
作業者が管理票１０の工程表１２に含まれる工程を全て終了した時、バーコード１４をバーコード読取装置１６０に読み取らせることで、バーコード読取装置１６０からネットワーク３を介して管理装置１００に印字出力指示情報を送信させる。
【００５２】
図１に戻り、インタフェース部１１４は、ネットワーク３上の装置と通信する。本実施形態において、ネットワーク３は、たとえば、ＬＡＮ（Local Area Network）、ＷＡＮ（Wide Area Network）、等である。
【００５３】
指示受付部１１６は、インタフェース部１１４を介してバーコード読取装置１６０から印字出力指示情報を受信し、印字出力指示として受け付ける。この印字出力情報は、上述したように、バーコード読取装置１６０によって管理票１０のバーコード１４を読み込むことで、管理装置１００に送信される。あるいは、指示受付部１１６は、管理装置１００の操作部１０２によって、管理者などのユーザにより製品製造開始が指示されたとき、１枚目の管理票１０の印字出力指示として受け付けることができる。また、１枚目に限らず、任意の管理票１０をユーザの操作指示により印字出力指示を受け付けることもできる。
【００５４】
なお、他の実施形態において、印字出力指示は、たとえば、現場に設けられたパーソナルコンピュータなどのユーザ端末装置の操作部を作業者５等のユーザが操作することで、ネットワーク３を介して管理装置１００に送信することもできる。あるいは、管理票１０に、上述した印字出力指示情報を記録したＲＦＩＤタグを添付し、ネットワーク３に接続されたタグリーダ（不図示）により、印字出力指示情報を読み取り、管理装置１００に送信させてもよい。
【００５５】
出力部１１８は、指示受付部１１６が印字出力指示を受け付けた時、印字出力指示情報に含まれる製品ＩＤ、製品ロットＩＤ、および管理票ＩＤに基づいて、管理票書式記憶部１１２から出力すべき管理票１０の印刷データを選択して取得し、対応する出力先ＩＤに基づいて該当する印刷装置１５０にインタフェース部１１４を介して管理票１０を印字出力させる。
【００５６】
本実施の形態の管理装置１００は、前述のように実装されているコンピュータプログラムに対応して各種の処理動作を実行することにより、前述のような各種手段１０２〜１１８が各種機能として実現されている。
【００５７】
本実施形態のコンピュータプログラムは、コンピュータに、製品ロット毎に複数の工程を含む製品製造工程の工程フローを記憶する記憶装置（工程記憶部１０６）を有し、ネットワーク３を介して管理票出力装置（印刷装置１５０）に接続された管理装置１００を実現させるためのコンピュータプログラムであって、コンピュータを（管理装置１００）、記憶装置（工程記憶部１０６）に記憶された工程フローに含まれる複数の工程の中から複数の所定の工程を、所定の条件に従って、それぞれ管理票出力時期として抽出する抽出部１０８と、抽出された管理票出力時期のそれぞれの間に含まれる複数の工程を一単位とした部分工程フローを作業者５に示すとともに、該部分工程フローに含まれる複数の工程ごとの作業履歴を作業者５が記録するための管理票１０を管理票出力時期ごとにそれぞれ印字出力するための印刷データを所定の書式でそれぞれ作成する作成部１１０と、複数の管理票出力時期に対応する所定の工程の前に、対応する管理票１０の印字出力指示を受け付ける指示受付部１１６と、印字出力指示を受け付けたとき、作成部１１０で作成された管理票１０の印刷データに基づいて、複数の管理票出力時期に対応する部分工程フローの管理票１０を管理票出力装置（印刷装置１５０）に印字出力させる出力部１１８と、として機能させるように記述されている。
【００５８】
上述のような構成において、本実施の形態の管理装置１００による管理方法を以下に説明する。図５は、本実施の形態の管理システムの管理装置１００の動作の一例を示すフローチャートである。
【００５９】
本実施形態の管理方法は、製品ロット毎に複数の工程を含む製品製造工程の工程フローを記憶する記憶装置（工程記憶部１０６）を有する管理装置１００と、管理装置１００にネットワーク３を介して接続された管理票出力装置（印刷装置１５０）と、を備えた管理システムにおいて、複数の工程を含む製品製造工程のフローを作業者５に提示することで作業者５が工程手順を確認するとともに、複数の工程ごとの作業履歴を作業者５が記録するための管理票１０を作成する管理方法であって、管理装置１００が、記憶装置（工程記憶部１０６）に記憶された工程フローに含まれる複数の工程の中から複数の所定の工程を、所定の条件に従って、それぞれ管理票出力時期として抽出し（Ｓ１０５）、抽出された管理票出力時期のそれぞれの間に含まれる複数の工程を一単位とした部分工程フローを作業者５に示すとともに、該部分工程フローに含まれる複数の工程ごとの作業履歴を作業者５が記録するための管理票１０を管理票出力時期ごとにそれぞれ印字出力するための印刷データを所定の書式でそれぞれ作成し（Ｓ１０７）、複数の管理票出力時期に対応する所定の工程の前に、対応する管理票１０の印字出力指示を受け付け（Ｓ１２１）、印字出力指示を受け付けたとき（Ｓ１２１のＹＥＳ）、作成された管理票１０の印刷データに基づいて（Ｓ１２３）、複数の管理票出力時期に対応する部分工程フローの管理票１０を管理票出力装置（印刷装置１５０）に印字出力させる（Ｓ１２５）。
【００６０】
以下、管理システムの動作について、詳細に説明する。
図４は、本実施の形態の管理システムにおいて、管理票１０を用いて製品の製造工程を管理する場合の手順を説明するための図である。図５（ａ）は、管理装置１００において、管理票１０の印刷データを作成する動作の一例を示している。図５（ｂ）は、管理装置１００において、現場の印刷装置１５０に管理票１０を出力させる動作の一例を示している。以下、図１乃至図５を用いて説明する。
【００６１】
図５（ａ）に示すように、はじめに、本実施の形態の管理システムの管理装置１００において、各製品の製造工程を管理する準備を行う。図１の管理装置１００において、工程受付部１０４は、製品製造工程の管理者などのユーザによる操作に基づいて、図示されない工程入力画面により製品の製造工程の入力を受け付ける（Ｓ１０１）。ここでは、製品ロット毎に、製造工程の手順および各工程の条件などを受け付ける。工程受付部１０４が受け付けた情報は、図２（ａ）に示されるように、製品毎、製品ロット毎に、複数の工程の手順と、製品ロットや各工程の製造条件が関連付けられて工程記憶部１０６に記憶される（Ｓ１０３）。他の実施形態において、既に製品製造工程が決まっており、工程記憶部１０６にデータベースが構築済みの場合は、ステップＳ１０１およびＳ１０３を省略することもできる。
【００６２】
そして、抽出部１０８が、工程記憶部１０６にアクセスし、設定された製品または製品ロットの工程フローに含まれる複数の工程の中から複数の所定の工程を所定の条件に従って、それぞれ管理票出力時期として抽出する（Ｓ１０５）。本実施形態では、投入工程およびレジスト塗布工程が管理票出力時期として抽出される。たとえば、図３に示すような工程フローの場合、まず、初期工程である工程Ａおよび複数回繰返して実施される工程Ｃが管理票出力時期として抽出される。工程Ａの時に出力される１枚目の管理票は、工程Ａの次に管理票が出力される工程Ｃまでの間の工程を含む管理票となる。すなわち、工程Ａおよび工程Ｂ１を含み、工程Ａおよび工程Ｂの各製造条件が管理票に印刷されることとなる。
【００６３】
さらに、工程Ｃの時に出力される２枚目の管理票は、工程Ｃ、工程Ｄ、工程Ｅ１（または工程Ｅ２）、並びに工程Ａおよび工程Ｂ２までの工程を含む管理票となる。さらに、次の工程Ｃの時に出力される３枚目の管理票は、工程Ｃ、工程Ｄ、工程Ｅ１（または工程Ｅ２）、並びに工程Ａおよび工程Ｂ３までの工程を含む管理票となる。そして、４枚目の管理票は、工程Ｃ、工程Ｄ、工程Ｅ１（または工程Ｅ２）の工程を含む管理票となる。
【００６４】
図５（ａ）に戻り、作成部１１０が、上記管理票出力時期に出力される各管理票に含まれる工程に基づいて、各管理票の印刷データを所定の書式で作成する（Ｓ１０７）。上述したように、１枚目の管理票の書式には、全工程のうち、一部の工程である工程Ａおよび工程Ｂ１を含む工程フローを示す工程表１２と、当該管理票が、一枚目の管理票であることを示す情報、または、本管理票で管理される工程が、工程Ａから始まることを示す情報、あるいは、最後の工程が工程Ｂ１であることを示す情報を含むバーコード１４と、が含まれる。バーコード１４には、たとえば、製品ロットＩＤおよび管理票ＩＤの情報を含んでもよい。
作成された管理票の印刷データは、管理票書式記憶部１１２に、図２（ｂ）に示したように、製品ロットＩＤ、管理票ＩＤ、工程ＩＤ、および出力先ＩＤに関連付けられて記憶される（Ｓ１０９）。
【００６５】
なお、この実施形態では、管理票作成時期を製品ロットの製造工程の設定時とした場合を例としているが、これに限定されない。たとえば、後述するように、現場などからの管理票の印字出力指示を受け付けた時に、該当する管理票の印刷データを作成して印字してもよい。
【００６６】
このようにして作成された管理票１０の印刷データに基づいて、実際に製品の製造工程が開始したときに、後述するように管理票出力時期毎に現場の印刷装置１５０から管理票１０を印字出力し、現場の作業者５に作業指示を行えることとなる。
【００６７】
次に、管理装置１００において、現場の印刷装置１５０に管理票１０を出力させる動作について説明する。なお、図４のシステム例では、製品投入工程現場に設置されたプリンタＰ１、およびレジスト塗布前仕掛かり棚２０の近傍に設置されたプリンタＰ２の２台の印刷装置１５０を含んでいる。
【００６８】
まず、管理装置１００において、指示受付部１１６により製品ロットの製造開始指示が受け付けられたとき（図５（ｂ）のＳ１２１のＹＥＳ）、１枚目の管理票１０が管理装置１００から現場の印刷装置１５０（図４のプリンタＰ１）にネットワーク３を介して管理票１０の印刷指示が送信される（図４のＳ１）。
【００６９】
詳細には、図５（ｂ）に示すように、指示受付部１１６が印刷指示を受け付けた後（Ｓ１２１のＹＥＳ）、出力部１１８により、管理票書式記憶部１１２から１枚目の管理票１０の印刷データを読み出すとともに、出力先の印刷装置１５０の情報などを取得する（Ｓ１２３）。そして、出力部１１８は、インタフェース部１１４を介して、出力先の印刷装置１５０（ここでは、プリンタＰ１）に、取得した１枚目の管理票１０の印刷指示を行う（Ｓ１２５）。なお、管理装置１００において、終了指示をユーザまたは現場のユーザ端末（不図示）から指示受付部１１６が受け付けるまで、ステップＳ１２１に戻り、次の印刷指示を受け付けて（Ｓ１２１のＹＥＳ）、ステップＳ１２３およびＳ１２５を繰返す。終了指示を受け付けたとき（Ｓ１２７のＹＥＳ）、本処理を終了する。ここで、終了指示は、たとえば、全ての管理票の印刷が終了したことを管理装置１００が検知して自動的に終了させてもよいし、図１の指示受付部１１６がユーザからの終了指示を受け付けてもよい。
【００７０】
図４において、管理装置１００から印刷指示された管理票１０が、プリンタＰ１から出力され（Ｓ３）、作業者５（図１）が受け取り、製品である半導体装置１に添付する（Ｓ５）。そして、作業者５は、半導体装置１に添付された管理票１０の工程表１２（図１）を見て、工程および作業内容を確認する。このとき、管理票１０には、各工程の製造条件も記載されているので、作業者５は、条件も同じ管理票１０で確認して作業することができる。
【００７１】
例えば、半導体装置の製造工程のように、仕掛かり中の製品について改善のため等で、不定期に製造条件が変更される場合があるが、従来のシステムでは製造条件を予め管理票に印字することができず、そのため別の用紙に製造条件の指示書として印刷し、現場の作業者は、管理票と製造条件が印刷された指示書の両方を見て、作業していたため、製品ロット番号と、管理票と、製造条件とを付け合わせる必要があり、作業が煩雑であった。
【００７２】
本実施形態によれば、管理票１０に製造条件を記載することができるので、現場の作業者５が、管理票１０と製造条件を付け合わせて確認するなどの手間を省くことができる。また、不定期に変更される製造条件にも柔軟に対応することが可能となる。また、製造工程途中での製造条件変更にも柔軟に対応することが可能となる。
【００７３】
そして、たとえば、図３の工程Ａおよび工程Ｂ１が行われ、各工程の作業者５によって、作業履歴が管理票１０の工程表１２に記録された後、管理票１０が添付されたまま半導体装置１は、レジスト塗布前仕掛かり棚２０に一時的に載置される（Ｓ７）。
【００７４】
そして、次の工程Ｃを担当している作業者５は、半導体装置１に添付されている管理票１０のバーコード１４をバーコード読取装置１６０を用いて読み取らせる（Ｓ９）。バーコード読取装置１６０は、読み取ったバーコード１４の情報をネットワーク３を介して管理装置１００に印字出力指示として送信する（Ｓ１１）。バーコード読取装置１６０によってバーコード１４が読み取られた管理票１０は、回収箱２２に収容されて回収される（Ｓ１９）。
【００７５】
管理装置１００では、図５（ｂ）に示すように、指示受付部１１６がインタフェース部１１４を介してバーコード読取装置１６０から送信された印字出力指示を受信すると（Ｓ１２１のＹＥＳ）、出力部１１８が、印字出力指示に含まれる製品ＩＤ、管理票ＩＤまたは工程ＩＤ等から、次に出力すべき管理票を特定し、該当する管理票の印刷データを管理票書式記憶部１１２から取得する（Ｓ１２３）。
【００７６】
出力部１１８は、出力する管理票の出力先ＩＤから出力する印刷装置１５０を特定し、インタフェース部１１４を介して印刷装置１５０に該当管理票の印字出力指示を行う（Ｓ１２５）。
【００７７】
図４に戻り、管理装置１００からネットワーク３を介して印刷装置１５０（図４のプリンタＰ２）に、２枚目の管理票１０ａの出力指示がなれされる（Ｓ１３）。プリンタＰ２から管理票１０ａが出力され（Ｓ１５）、作業者５によって、ステップＳ９でバーコード１４の読み取りが済んだ管理票１０に替えて、半導体装置１に新たに管理票１０ａが添付される（Ｓ１７）。ここで、２枚目の管理票１０ａには、工程Ｃ、工程Ｄ、工程Ｅ１、工程Ａ、および工程Ｂ２を含む工程表１２と、作業内容と、製造条件と、バーコード１４と、が含まれる。
【００７８】
そして、作業者５は、半導体装置１に添付された管理票１０ａの工程表１２を見て、工程および作業内容、並びに、製造条件を確認して作業を行う。そして、たとえば、図３の工程Ｃ、工程Ｄ、工程Ｅ１、工程Ａ、および工程Ｂ２が行われ、各工程の作業者５によって、作業履歴が管理票１０ａの工程表１２に記録された後、半導体装置１は、管理票１０ａが添付されたままレジスト塗布前仕掛かり棚２０に一時的に載置される（Ｓ２１）。
【００７９】
そして、さらに次の工程Ｃを担当している作業者５によって、半導体装置１に添付されている管理票１０ａのバーコード１４が、バーコード読取装置１６０を用いて読み取られ（Ｓ９）、管理装置１００に印字出力指示が送信され（Ｓ１１）、管理装置１００から３枚目の管理票がプリンタＰ２に印字出力される（Ｓ１３、Ｓ１５）。
【００８０】
３枚目の管理票は、半導体装置１に添付され（Ｓ１７）、バーコード読取装置１６０によってバーコード１４が読み取られた古い２枚目の管理票１０ａは、回収箱２２に収容される（Ｓ１９）。以後、同様な処理を繰返すことで、製品ロット毎に、複数の管理票を所定の工程の前を出力のタイミングとして印字出力させることができる。
【００８１】
以上、説明したように、本発明の実施形態の管理システムによれば、従来、外注にて印刷された一枚の大きな用紙にて管理されていた管理票を、複数に分割して所定の工程前に印字出力することができるので、製造仕掛かり中の製品に対する改善工程フロー適用時にも、管理票全体を作成し直す必要がなく、該当箇所に対応する管理票のみ作成し直せばよいので、変更にも柔軟にかつ迅速に対応することができ、管理票の作成工数および費用が大幅に削減される。また、従来、外注にて印刷された管理票は、在庫を保管管理する必要があったが、本発明によれば、在庫を持つ必要がなくなり、管理票の保管場所とその管理が不要となる。管理票を印刷するための一般的なＡ４版サイズのコピー用紙などのみを保管すればよい。管理票保管中のパーティクル付着などの問題も解決される。また、管理票を外注に印刷製本依頼する工数が不要となる。変更により不要となる管理票が発生しないので、資源を無駄にしない。
【００８２】
特に、本発明は、既存の半導体製造ラインにおいて、工程を管理するのに好適である。その理由は、既存の半導体製造ライン、たとえば、２０年くらい前の製造ラインは、その工程が自動化されておらず、製品を現場の担当者が持ち運んで作業し、製品ロットごとの工程は現場の担当作業者が管理票に基づいて作業履歴を記録して管理している。管理票による管理に替えて、既存の半導体製造ラインを全自動化して、工程の管理も自動化して管理票をペーパレス化するためには莫大な費用がかかるが、本発明のシステムを投入することで、簡単な構成で、たとえば、印刷装置１５０およびバーコード読取装置１６０をシステムに追加する程度で、既存の半導体製造ラインにおける工程管理を、管理票を用いて効率よく低コストで実現することができる。
【００８３】
以上、図面を参照して本発明の実施形態について述べたが、これらは本発明の例示であり、上記以外の様々な構成を採用することもできる。
【００８４】
たとえば、臨時に一時的に工程の条件などを変更するような場合、本発明の管理システムでは、変更を効率よく受け付け、対応することができる。たとえば、半導体装置の製造工程では、特定実験工程として、特定ロットに特別な条件を指定することがある。従来、このような場合、実験工程のために、技術者が直接現場の製造ラインに入り、ライン中の何百ロットの中から、特定ロットを見つけ出し、製品ロットに添付されている管理票に特定実験工程用に別途発行される実験指示書番号を記入することで、現場の作業者に実験工程の指示を行っていた。そして作業者は実験指示番号から、指示を別途発行される実験指示書を取得し、実験指示書にしたがって作業する必要があり、工数がかかった。
【００８５】
本発明の管理システムにおいて、工程受付部１０４が、特定ロットに対する特定実験工程の条件を受け付け、工程記憶部１０６に特定実験工程の条件として製品ロットＩＤおよび工程ＩＤと関連付けて記憶させることができる。すなわち、技術者が現場に入ることなく、管理装置１００にて特定ロットに対する特定実験工程を指定し、その条件を設定するだけでよい。
【００８６】
そして、作成部１１０は、指定された特定実験工程に対応する工程を含む管理票１０の印刷データを管理票書式記憶部１１２から読み出し、特定実験工程を含む工程表１２、および特定実験工程の条件を項目として含む管理票の印刷データを作成する。このとき、管理票１０は、当該製品ロットが特定実験工程を含むことを作業者に通知する指示書としての役割も果たす。すなわち、特定実験工程を含むことを作業者に通知するメッセージなどを記載する書式としてもよい。
【００８７】
作成された管理票１０の印刷データは管理票書式記憶部１１２に該当する製品ロットＩＤ、管理票ＩＤ、管理票出力時期として抽出された工程の工程ＩＤ、および出力先ＩＤに関連付けて記憶される。作業者が特定実験対象の製品ロットに添付されている管理票１０のバーコード１４をバーコード読取装置１６０により読み込み、ネットワーク３を介して管理装置１００に印字出力指示情報を送信する。管理装置１００では、指示受付部１１６が印字出力指示情報をインタフェース部１１４を介してバーコード読取装置１６０から印字出力指示として受け付ける。
【００８８】
そして、特定実験対象の製品ロットの特定実験工程の作業指示が記載された、先に管理票書式記憶部１１２に記憶された管理票１０の印刷データを読み出し、印刷装置１５０に管理票１０を印字出力させる。このとき印字出力される管理票１０には、上述したように、特定実験工程の指示が含まれ、特定実験条件も作業者に提示されることとなる。このように、技術者は現場に入って該当する製品ロットを探し出して、実験指示番号を管理票１０に記載することも、作業者が管理票１０に記載された指示番号に対応する実験指示書を照らし合わせる必要もなく、特定実験作業の効率が向上する。
【図面の簡単な説明】
【００８９】
【図１】本発明の実施の形態に係る管理システムの構成を示す機能ブロック図である。
【図２】図１の工程記憶部および管理票書式記憶部の構造の一例を示す図である。
【図３】本発明の実施形態に係る管理システムによって管理される製品製造工程の一例を示すフローチャートである。
【図４】本実施の形態の管理システムにおいて、管理票を用いて製品の製造工程を管理する場合の手順を説明するための図である。
【図５】本実施の形態の管理システムの管理装置の動作の一例を示すフローチャートである。
【符号の説明】
【００９０】
１  半導体装置
３  ネットワーク
５  作業者
１０  管理票
１２  工程表
１４  バーコード
２０  レジスト塗布前仕掛かり棚
２２  回収箱
１００  管理装置
１０２  操作部
１０４  工程受付部
１０６  工程記憶部
１０８  抽出部
１１０  作成部
１１２  管理票書式記憶部
１１４  インタフェース部
１１６  指示受付部
１１８  出力部
１５０  印刷装置
１６０  バーコード読取装置
Ｐ１  プリンタ
Ｐ２  プリンタ
【図１】
2009271663.tif 000003
【図２】
2009271663.tif 000004
【図３】
2009271663.tif 000005
【図４】
2009271663.tif 000006
【図５】
2009271663.tif 000007